(57)【要約】【課題】ファンの付近から捕集された油を除去する際のメンテナンスの負担を軽減することができるレンジフードを提供すること。【解決手段】加熱調理機の上方に配設されるレンジフード１であって、前記加熱調理機の設置方向に向かって開口する開口部２１を有するフード本体２と、前記開口部の内側付近の前記フード本体の内部に収納されたファン３と、前記開口部付近に着脱自在に配設された油捕集部材４と、前記油捕集部材の下方に着脱自在に配設され、前記油捕集部材から流れ落ちた油を貯留する油受け部材５とを備え、前記油受け部材は、下方に向かって窪む油溜め部を有する油受け部本体と、この油受け部本体の上側に配設される不燃性シート材とを備え、前記レンジフードから前記油受け部材を取り外した状態において、前記不燃性シート材が油受け部本体から脱離可能とする。【選択図】図１
2016109370.tif 000002
【特許請求の範囲】
【請求項１】
加熱調理機の上方に配設されるレンジフードであって、
前記加熱調理機の設置方向に向かって開口する開口部を有するフード本体と、
前記開口部の内側付近の前記フード本体の内部に収納されたファンと、
前記開口部付近に着脱自在に配設された油捕集部材と、
前記油捕集部材の下方に着脱自在に配設され、前記油捕集部材から流れ落ちた油を貯留する油受け部材と
を備え、
前記油受け部材は、下方に向かって窪む油溜め部を有する油受け部本体と、この油受け部本体の上側に配設される不燃性シート材とを備え、
前記レンジフードから前記油受け部材を取り外した状態において、前記不燃性シート材が前記油受け部本体から脱離可能とされていることを特徴とするレンジフード。
【請求項２】
前記油受け部材は、前記油溜め部の内側に嵌合可能な枠状の押さえ部材を備え、この押さえ部材によって、前記不燃性シート材が上側から押圧されて配設されていることを特徴とする請求項１に記載のレンジフード。
【請求項３】
前記油受け部材の前記油溜め部は、下方に向かって径小となる円錐状または円錐台状に窪んで形成されていることを特徴とする請求項１または２に記載のレンジフード。
【請求項４】
前記不燃性シート材が、金属フィルム、不燃繊維からなる不織布、または、これらの複合材であることを特徴とする請求項１から３のいずれか一項に記載のレンジフード。
【請求項５】
さらに、前記油捕集部材の外側付近に、不燃性シート材を有する整流部材を備えていることを特徴とする請求項１から４のいずれか一項に記載のレンジフード。
【発明の詳細な説明】
【技術分野】
【０００１】
本発明は、レンジフードに関する。
【背景技術】
【０００２】
従来、レンジフードのファンの付近に付着して流れ落ちる油を捕集するための検討がなされている。例えば、特許文献１には、ファンを内部に収納したファンケースのオイル排出口の外側を覆うように、オイルトレイが着脱自在に取り付けられたレンジフードが記載されている。このレンジフードでは、ファンケースの内部に付着した油がオイル排出口を通じてオイルトレイに滴下される構造になっている。
【先行技術文献】
【特許文献】
【０００３】
【特許文献１】特開2008-202821号公報
【発明の概要】
【発明が解決しようとする課題】
【０００４】
しかしながら、特許文献１のレンジフードでは、オイルトレイに溜まった油を除去する際に、油の拭き取りやオイルトレイの洗浄などが必要になり、メンテナンスに手間がかかってしまうという問題がある。
【０００５】
本発明は、以上のとおりの事情に鑑みてなされたものであり、ファンの付近から捕集された油を除去する際のメンテナンスの負担を軽減することができるレンジフードを提供することを課題としている。
【課題を解決するための手段】
【０００６】
上記の課題を解決するために、本発明のレンジフードは、加熱調理機の上方に配設されるレンジフードであって、
前記加熱調理機の設置方向に向かって開口する開口部を有するフード本体と、
前記開口部の内側付近の前記フード本体の内部に収納されたファンと、
前記開口部付近に着脱自在に配設された油捕集部材と、
前記油捕集部材の下方に着脱自在に配設され、前記油捕集部材から流れ落ちた油を貯留する油受け部材と
を備え、
前記油受け部材は、下方に向かって窪む油溜め部を有する油受け部本体と、この油受け部本体の上側に配設される不燃性シート材とを備え、
前記レンジフードから前記油受け部材を取り外した状態において、前記不燃性シート材が油受け部本体から脱離可能とされていることを特徴としている。
【発明の効果】
【０００７】
本発明のレンジフードによれば、ファンの付近から捕集された油を除去する際のメンテナンスの負担を軽減することができる。
【図面の簡単な説明】
【０００８】
【図１】本発明のレンジフードの一実施形態を例示した断面概要図である。
【図２】本発明のレンジフードにおける油受け部材の第１実施形態を例示した断面図である。
【図３】本発明のレンジフードにおける油受け部材の第２実施形態を例示した斜視図である。
【図４】図３に例示した油受け部材の断面図である。
【図５】本発明のレンジフードにおける油受け部材の第３実施形態を例示した斜視図である。
【図６】本発明のレンジフードの別の実施形態を例示した断面概要図である。
【図７】図６に例示したレンジフードの整流部材の形態を例示した断面図である。
【発明を実施するための形態】
【０００９】
図１は、本発明のレンジフードの一実施形態を例示した断面概要図である。
【００１０】
レンジフード１は、加熱調理機（図示していない）の上方の壁Ｗ側に配設されるものであり、加熱調理機の上方の調理空間Ｓ１からの蒸気、油煙、臭気などを吸引して排気ダクトＤへと送る。
【００１１】
レンジフード１は、フード本体２、ファン３、油捕集部材４および油受け部材５を有している。
【００１２】
フード本体２の内部には排気空間Ｓ２が形成されており、この排気空間Ｓ２は加熱調理器の設置方向（調理空間Ｓ１側）に向かって斜め下方向に開口する開口部２１と連通している。開口部２１の形状、大きさ、配設位置、開口角度などは、ファン３の形態などに応じて適宜設計することができる。また、フード本体２の上方には排気ダクトＤが配設されており、内部の排気空間Ｓ２と連通している。さらに、フード本体２の上端からは、調理空間Ｓ１側に突出する前方ガイド部２２が設けられている。
【００１３】
フード本体２の調理空間Ｓ１側の表面には、開口部２１の周囲から開口部２１に向かって湾曲して窪む湾曲球面Ｒが形成されている。湾曲球面Ｒは、略円形状の外縁部から開口部２１へ向かって球面状に窪んでおり、開口部２１の下側に比べて、上側に広く形成されている。フード本体２には湾曲球面Ｒが形成されているため、調理空間Ｓ１から上方に昇った蒸気や油煙などは、壁Ｗ側に配設されたファン３の方向に向かって湾曲球面Ｒに沿って円滑かつ確実に誘導されて排気される。
【００１４】
さらに、フード本体２の調理空間Ｓ１側の表面は、壁Ｗ側の下端部付近から開口部２１の下側付近へ向かって斜め上方向に延びる延出面２３が形成されており、この延出面２３は凸曲面部２３aを有している。具体的には、延出面２３は、壁Ｗ側の下端部付近から開口部２１の下側付近へ向かって、凹曲面部２３bと凸曲面部２３aが連続して形成されている。
【００１５】
ファン３は、開口部２１の内側付近の排気空間Ｓ２に収納されている。また、ファン３は、斜め下方向に傾斜する支軸３aを中心に回転するため、壁Ｗ側に配設されていても、調理空間Ｓ１から上方に昇った蒸気や油煙などを吸引して排気しやすい。
【００１６】
ファン３は、前方が開口した収納ケース３１の内側に収納されており、この収納ケース３１が、断面略Ｌ字型の架台７の上に設置されている。収納ケース３１は架台７の載置部７１に載置されており、収納ケース３１の後方は架台７の背面部７２に固定されている。
【００１７】
フード本体２の内部には、排気ダクトＤと隣接する上面部から下方に垂下する係止片Ｆが配設されている。この係止片Ｆの下端には固定つまみＴが配設されている。また、架台７の背面部７２の上端付近には挿入口７３が形成されている。架台７は、挿入口７３に固定つまみＴが挿入された状態で係止片Ｆに固定されている。
【００１８】
さらに、ファン３が設置された架台７は、伸縮支持部材６によって支持されている。伸縮支持部材６は、一端６１がフード本体２の背面側（壁Ｗ側）に固定されており、他端６２がファン３が設置された架台７の背面部７２に固定されており、折り畳み状態となっている。伸縮支持部材６は、前後方向に伸縮自在な構造を有している。このため、ファン３のメンテナンスをする場合、フード本体２から油捕集部材４を取り外して開口部２１を開放し、固定つまみＴによる固定を開放して架台７を係止片Ｆから離脱させて、折り畳み状態の伸縮支持部材６を前方へ伸長させることができる。これによって、架台７に載置された収納ケース３１に収納されたファン３を移動させることができ、ファン３が開口部２１を通じて調理空間Ｓ１側に移動して露出するため、ファン３の清掃や取り換えなどのメンテナンスを容易に行うことができる。また、ファン３のメンテナンスの終了後は、メンテナンス時とは逆の手順でファン３をフード本体２内の排気空間Ｓ２に戻して固定することで収納される。
【００１９】
フード本体２の開口部２１には、油捕集部材４が着脱自在に配設されている。具体的には、フード本体２の開口部２１の周囲には、嵌合溝部２４が設けられており、この嵌合溝部２４に油捕集部材４の端部を嵌め込むことで油捕集部材４が配設される。
【００２０】
油捕集部材４は、本体４１とカバー４２とを備えている。本体４１は、外周縁部４１aと円形凸部４１bを有しており、円形凸部４１bには、表裏面を貫通する吸気孔Ｍが複数形成されている。また、本体４１の中央には固定具Ｅを挿通する第１挿通孔Ｌ１が形成されている。カバー４２は、本体４１の円形凸部４１bの形状と対応しており、表面部の中央には、ねじなどの固定具Ｅを挿通する第２挿通孔Ｌ２が形成されている。そして、カバー４２の裏面側を本体４１の円形凸部４１bの表面側を重ねて、第１挿通孔Ｌ１と第２挿通孔Ｌ２の位置を一致させた状態で、ねじなどの固定具Ｅを第１挿通孔Ｌ１および第２挿通孔Ｌ２に挿入する。これによって、本体４１とカバー４２とが接合して油捕集部材４が組み立てられる。そして、油捕集部材４の本体４１の外周縁部４１aをフード本体２の開口部２１の周囲の嵌合溝部２４に嵌め込むことでフード本体２の開口部２１に油捕集部材４が配設されている。
【００２１】
油受け部材５は、油捕集部材４の下方に着脱自在に配設され、油捕集部材４から流れ落ちた油を貯留することができる。
【００２２】
図２（Ａ）（Ｂ）は、本発明のレンジフードにおける油受け部材の第１実施形態を例示した断面図である。
【００２３】
油受け部材５は、金属製の油受け部本体５１と、この油受け部本体５１の上面側に配設される不燃性シート材８とを備えている。
【００２４】
油受け部本体５１は、下方に向かって凹状に窪む油溜め部５１aを有し、油溜め部５１aの上端外縁からは、外側に向かって延びる取付部５１bが形成されている。油受け部本体５１の配設方法は特に限定されない。例えば、フード本体２の調理空間Ｓ１側の表面のうち、油捕集部材４の下側の部分に溝を形成しておき、この溝に油受け部本体５１の取付部５１bを嵌め込んだ後、ねじなどの固定具で取り付ける方法などを例示することができる。
【００２５】
不燃性シート材８の材料は、不燃性を有するシート状の材料であればよく、例えば、金属フィルム、不燃繊維からなる不織布、または、これらの複合材などを好ましく例示することができる。不燃性シート材８がこれらの材料からなる場合、発火等の危険性がなく、また、交換などのメンテナンスも容易である。
【００２６】
図２（Ａ）に例示したように、この実施形態では、油受け部本体５１の上側に配置された不燃性シート材８を金型Ｐによって下方に押し込むことで、不燃性シート材８を油受け部本体５１の油溜め部５１aの形状に合わせて変形させている。金型Ｐは、油受け部本体５１の油溜め部５１aの形状と相補的な形状からなる押込部を有しているため、不燃性シート材８を油溜め部５１aの形状に合わせて確実に変形させることができる。図２（Ｂ）に例示したように、金型Ｐは不燃性シート材８を変形させた後は取り外すことができる。図２（Ｂ）に例示した状態において、不燃性シート材８が配設された油受け部材５は、油捕集部材４の下方に取り付けられる。
【００２７】
そして、油受け部材５に貯留した油を除去する際には、レンジフード１から油受け部材５１を取り外し、手指で不燃性シート材８を油受け部材５から脱離させることができる。このため、不燃性シート材８を交換することで油受け部材５に貯留した油を除去することができ、油受け部材５の洗浄などのメンテナンス作業の負担が大幅に軽減される。
【００２８】
図３は、本発明のレンジフードにおける油受け部材の第２実施形態を例示した斜視図である。図４（Ａ）（Ｂ）は、図３に例示した油受け部材の断面図である。第１実施形態と共通する部分には、同一の符号を付し、以下では説明を一部省略する。
【００２９】
図３、図４（Ａ）に例示したように、この実施形態では、油受け部材５は、油溜め部５１aの内側に嵌合可能な枠状の押さえ部材５２を備えている。具体的には、この押さえ部材５２は、油受け部材本体５１の油溜め部５１aの内面の形状と相補的な略矩形の外周縁部５２aを有し、この外周縁部５２aの内側に開口部５２bが形成されている。
【００３０】
図４（Ｂ）に例示したように、押さえ部材５２によって、不燃性シート材８が上側から押圧されて、油受け部材５の上側に配設されている。押さえ部材５２による押圧によって、不燃性シート材８は油受け部材５の油溜め部５１aの形状に沿って変形している。
【００３１】
この実施形態では、図４（Ｂ）に例示したように、油受け部材５と押さえ部材５２との間に不燃性シート材８が挟持された状態で、油捕集部材４の下方に配設される。このため、レンジフードに油受け部材５が取り付けられた状態では、不燃性シート材８は安定に保持されており、位置ずれなどが抑制されている。また、押さえ部材５２には、中央に開口部５２bが形成されているため、油が不燃性シート材８へ滴下するのを妨げる恐れはない。
【００３２】
そして、油受け部材５に貯留した油を除去する際には、レンジフード１から油受け部材５１を取り外し、押さえ部材５２による押圧を解放して、不燃性シート材８を油受け部材５から脱離させることができる。このため、不燃性シート材８を交換すれば油受け部材５に貯留した油を除去することができ、油受け部材５の洗浄などのメンテナンス作業の負担が大幅に軽減される。
【００３３】
図５は、本発明のレンジフードにおける油受け部材の第３実施形態を例示した斜視図である。第１実施形態と共通する部分には、同一の符号を付し、以下では説明を一部省略する。
【００３４】
この実施形態では、油受け部材５の油溜め部５１aは、下方に向かって径小となる円錐台状に窪んで形成されている。また、油受け部材５の取付部５１bには、ネジを挿入するための挿入口５１cが形成されている。また、不燃性シート材８は、下方に先細となるように折り畳まれて油溜め部５１aの上側に配設される。
【００３５】
油受け部材５に貯留した油を除去する際には、レンジフード１から油受け部材５を取り外し、不燃性シート材８を油受け部材５から脱離させることができる。この際、円錐台状の油溜め部５１aに先細な不燃性シート材８が配設されているため、油溜め部５１aの上の不燃性シート材８に貯留した油を容易に除去することができ、油受け部材５の洗浄などのメンテナンス作業の負担が大幅に軽減される。
【００３６】
なお、この実施形態では、油受け部材５の油溜め部５１aは、下方に向かって径小となる円錐状に窪んで形成されたものであってもよい。
【００３７】
図６は、本発明のレンジフードの別の実施形態を例示した断面概要図である。図７は、
図６に例示したレンジフードの整流部材の形態を例示した断面図である。図１に例示した実施形態と共通する部分には同一の符号を付し、以下では説明を省略する。
【００３８】
図６に例示したように、この実施形態のレンジフード１では、開口部２１の内側付近に油捕集部材４が配設されており、この油捕集部材４の下方に油受け部材５が配設されている。油受け部材５に貯留した油を除去する際には、レンジフード１から油受け部材５を取り外し、不燃性シート材（図６では図示していない）を油受け部材５から脱離させることができる。このため、不燃性シート材とともに貯留した油を容易に除去することができ、油受け部材５の洗浄などのメンテナンス作業の負担が大幅に軽減される。
【００３９】
また、油捕集部材４の外側付近（開口部２１付近）には、略板状の整流部材９が配設されている。ファン３の駆動によって調理空間Ｓ１から吸引された空気は、整流部材９によって流れが整流され、油捕集部材４側に流れていく。
【００４０】
図７に例示したように、整流部材９は、平坦な下面部９１と、この下面部９１の外縁部から略垂直に起立する側面部９２とが一体に形成されている。整流部材９の下面部９１の内側には、対向する側面部９２の間に亘って金属製の載置台９３が配設されている。載置台９３は、側面部９２付近において上方に向かってやや屈曲している。そして、この載置台９３の上には不燃性シート材９４が配設されている。また、不燃性シート材９４は、その端部付近が押さえ金具９５によって下方に押さえられているため安定に保持されている。不燃性シート材９４は、油受け部材５に配設されるものと同様に、金属フィルム、不燃繊維からなる不織布、または、これらの複合材などを好ましく例示することができる。
【００４１】
この実施形態のレンジフード１では、油捕集部材４の外側付近（開口部２１付近）に整流部材９を備えているため、整流部材９においても油が捕集される。そして、捕集された油を除去する際には、整流部材９の内側の不燃性シート材９４を交換することができ、メンテナンスの負担を軽減することができる。
【００４２】
以上の通り、レンジフード１は、加熱調理機の上方に配設されるものであって、以下の構成を有している。加熱調理機の設置方向に向かって開口する開口部２１を有するフード本体２。開口部２１の内側付近のフード本体２の内部に収納されたファン３。開口部２１付近に着脱自在に配設された油捕集部材４。油捕集部材４の下方に着脱自在に配設され、油捕集部材４から流れ落ちた油を貯留する油受け部材５。
【００４３】
そして、油受け部材５は、下方に向かって窪む油溜め部５１aを有する油受け部本体５１と、この油受け部本体５１の上面側に配設される不燃性シート材８とを備えている。そして、レンジフード１から油受け部材５を取り外した状態において、不燃性シート材８が油受け部本体５１から脱離可能とされている。
【００４４】
本発明のレンジフードは、以上の実施形態に限定されることはない。例えば、油受け部材や整流部材の形状や配設位置、配設方法などは適宜設計することができる。
【符号の説明】
【００４５】
１      レンジフード
２      フード本体
２１    開口部
３      ファン
４      油捕集部材
５      油受け部材
５１    油受け部本体
５１a    油溜め部
５２    押さえ部材
８      不燃性シート材
９      整流部材
９４    不燃性シート材
【図１】
2016109370.tif 000003
【図２】
2016109370.tif 000004
【図３】
2016109370.tif 000005
【図４】
2016109370.tif 000006
【図５】
2016109370.tif 000007
【図６】
2016109370.tif 000008
【図７】
2016109370.tif 000009